(57)【要約】【課題】　家庭でも使いやすく、しかも失敗しないすき刈りを行うことができ、さらにすき刈りから通常の切断に切り替える切り替え操作が容易にできるようにする。【解決手段】　すき刈り板３をヘアーカッター本体２の前端部に前後にスライド自在に装着し、すき刈り板３を前進させることによりすき刈りを行うと共にすき刈り板３を後退させることにより刃部１で通常の切断を行うヘアーカッターである。これにおいて、すき刈り板３を所定位置まで前進した状態ですき刈り板３が後退しないようにロックするロック機構を設ける。すき刈り板３にすき刈り板３を前後にスライド操作するとき操作する操作突起４を設ける。ロック機構ですき刈り板３をロックした状態からロック機構のロックを解除するとき押圧操作するロック解除釦５をすき刈り板３に設けた挿通孔６に挿通して露出させると共にロック解除釦５を上記操作突起４より前方に位置させる。【選択図】　　　　図１
2004136123.tif 000002
【特許請求の範囲】
【請求項１】
固定刃に対して可動刃が摺接して毛髪を切断する刃部をヘアーカッター本体の前端に設け、前記刃部とは別の前端縁部に複数のすき溝を有したすき刈り板をヘアーカッター本体の前端部に前後にスライド自在に装着し、すき刈り板を刃部に対して前進させることにより刃部への毛髪の導入を規制してすき刈りを行うと共に刃部に対してすき刈り板を後退させることにより刃部で通常の切断を行うヘアーカッターにおいて、すき刈り板を所定位置まで前進した状態ですき刈り板が後退しないようにロックするロック機構を設け、すき刈り板にすき刈り板を前後にスライド操作するとき操作する操作突起を設け、ロック機構ですき刈り板をロックした状態からロック機構のロックを解除するとき押圧操作するロック解除釦をすき刈り板に設けた挿通孔に挿通して露出させると共にロック解除釦を上記操作突起より前方に位置させて成ることを特徴とするヘアーカッター。
【請求項２】
ロック解除釦の周囲の挿通孔の孔縁に囲い突条または段落ちを設けて成ることを特徴とする請求項１記載のヘアーカッター。
【発明の詳細な説明】
【技術分野】
【０００１】
　本発明は、通常の毛髪の切断やすき刈りが切り替えてできるヘアーカッターの構造に関するものである。
【背景技術】
【０００２】
　ヘアーカッターとして最も一般的なのは所謂バリカンと称されるものであるが、これは丸刈りする場合にはよいものの、すき刈りという点から熟練した技術を要するために家庭内での使用には無理がある。このために家庭用のヘアーカッターとしては通常のバリカンのような切断と、すき刈りとを切り替えて行えるものが使用されている。これは固定刃に対して可動刃が摺接して毛髪を切断する刃部をヘアーカッター本体の前端に設け、ヘアーカッター本体の前端部にすき刈り板を前後にスライド自在に装着して形成され、すき刈り板を前進させることにより刃部への毛髪の導入を規制してすき刈りを行うことができ、すき刈り板を後退させることによりすき刈り刃で規制されることなく刃部で通常の切断を行うようになっている（例えば、特許文献１参照）。このようにすき刈り板を設けたヘアーカッターですき刈りを行うときは一度に切れる毛髪の量が少ないために誤って毛髪を切ったとしてもさほど目立たず、大きな失敗とならず、家庭でも安心して使用できる。
【特許文献１】実開昭５８−８６０７２号公報
【発明の開示】
【発明が解決しようとする課題】
【０００３】
　ところが、上記従来例ではすき刈り板を前進するようにスライドさせ、刃部にすき刈り板を重ねた状態ですき刈りを行うようになっており、またすき刈り板を前進させた状態では主に摩擦力だけですき刈り板が止まっているだけのために、すき刈り板にすき刈り板を押し下げる方向の力が加わると、すき刈り板は後退するようにスライドし、すき刈り板による毛髪の導入の規制がなくなって刃部で通常の切断を行うようになり、毛髪の切断の失敗を招くという問題がある。
【０００４】
　本発明は上記問題点に鑑みてなされたものであって、家庭でも使いやすく、しかも失敗しないすき刈りを行うことができ、さらにすき刈りから通常の切断に切り替える切り替え操作が容易にできるヘアーカッターを提供することを課題とするものである。
【課題を解決するための手段】
【０００５】
　上記課題を解決するために本発明ヘアーカッターは、固定刃に対して可動刃が摺接して毛髪を切断する刃部１をヘアーカッター本体２の前端に設け、前記刃部１とは別の前端縁部に複数のすき溝１０を有したすき刈り板３をヘアーカッター本体２の前端部に前後にスライド自在に装着し、すき刈り板３を刃部１に対して前進させることにより刃部１への毛髪の導入を規制してすき刈りを行うと共に刃部１に対してすき刈り板３を後退させることにより刃部１で通常の切断を行うヘアーカッターにおいて、すき刈り板３を所定位置まで前進した状態ですき刈り板３が後退しないようにロックするロック機構を設け、すき刈り板３にすき刈り板３を前後にスライド操作するとき操作する操作突起４を設け、ロック機構ですき刈り板３をロックした状態からロック機構のロックを解除するとき押圧操作するロック解除釦５をすき刈り板３に設けた挿通孔６に挿通して露出させると共にロック解除釦５を上記操作突起４より前方に位置させて成ることを特徴とする。
【０００６】
　上記構成によれば、すき刈りをするときすき刈り板３を所定位置まで前進させると、ロック機構にてこの状態から後退しないようにロックされる。このためすき刈りをしているとき不用意にすき刈り板３が後退して毛髪を刈り過ぎてしまう失敗を無くすことができる。またロック解除釦５を押してロック解除すると共に操作突起４に指をかけてすき刈り板３を後退させることにより、すき刈り状態から通常の切断状態に切り替えることができ、このとき操作突起４よりロック解除釦５が刃部１側に位置することで、すき刈りから通常の切断に切り替えるとき指がかかりやすく、切り替え操作が容易にできる。
【０００７】
　またロック解除釦５の周囲の挿通孔６の孔縁に囲い突条７または段落ち８を設けて成ることを特徴とすることも好ましい。この場合、使用中に不用意にロック解除釦５を押さえてロックを解除してしまうおそれをなくすことができる。つまり、ロック解除釦５を意識的に押さえなければロックを解除できないようになっている。
【発明の効果】
【０００８】
　本発明は叙述のようにすき刈りをするときすき刈り板を所定位置まで前進させると、ロック機構にてこの状態から後退しないようにロックされるものであって、すき刈りをしているとき不用意にすき刈り板が後退して毛髪を刈り過ぎてしまう失敗を無くすことができるものであり、またロック解除釦を押してロック解除すると共に操作突起に指をかけてすき刈り板を後退させることにより、すき刈り状態から通常の切断状態に切り替えることができるものであり、しかもこのとき操作突起よりロック解除釦が刃部側に位置することで、すき刈りから通常の切断に切り替えるとき指がかかりやすく、切り替え操作が容易にできるものである。
【発明を実施するための最良の形態】
【０００９】
　ヘアーカッター本体２の前端部には刃部１を設けてあり、ヘアーカッター本体２の前端から刃部１の先端縁が露出している。この刃部１は先端縁に櫛歯状の切刃部を設けた固定刃と、先端縁に櫛歯状の切刃部を設けた可動刃とを摺動自在に重ねて形成され、電動で可動刃を往復駆動することで可動刃と固定刃の切刃部で毛髪を切断できるようになっている。ヘアーカッター本体２の前端部の片面側には図１に示すように取り付け凹所８を設けてあり、この取り付け凹所８にはロック部材９を介してすき刈り板３を収納してあり、ロック部材９やすき刈り板３が前後にスライド自在にしてある。
【００１０】
　すき刈り板３の前端縁部には複数のすき溝１０を左右方向に適当な間隔で穿設してあり、すき刈り板３の左右両側からフック部１１を垂下してある。すき刈り板３の両側のフック部１１は取り付け凹所８の両側の取り付け孔１２に挿入され、すき刈り板３が前後にスライド自在になるように取り付けられている。すき刈り板３の両側のフック部１１の内側には取り付けボス１３を垂下してあり、この取り付けボス１３にてすき刈り板３に後述するようにロック部材９が取り付けられるようになっている。すき刈り板３の上面（外に露出する面）には左右方向に長いリブ状の操作突起４を突設してあり。この操作突起４に指をかけてすき刈り板３を前後にスライド操作できるようになっている。この操作突起４の前側の位置には挿通孔６を設けてあり、後述するロック部材９のロック解除釦５を挿通孔６に挿通できるようになっている。挿通孔６は長孔状となっており、操作突起４の前側の位置で操作突起４と平行に設けてある。
【００１１】
　ロック部材９の本体板１５の両側には前後に細長い側片部１６を設けてあり、本体板１５と側片部１６の前端側の端部とを略Ｕ字状の弾性屈曲部１７にて一体に連結してある。ロック部材９の両側の側片部１６の前端側には固定孔１８を設けてあり、この固定孔１８にすき刈り板３の取り付けボス１３を挿入固定することですき刈り板３にロック部材９を取り付けてある。ロック部材９の本体板１５から一対のロック爪１９を斜め下方に突設してあり、一対のロック爪１９の先端が取り付け凹所８のスライド溝２０に沿ってスライドすることによりロック部材９と一緒にすき刈り板３が前後にスライドするようになっている。またスライド溝２０にはロック突起２１を設けてあり、ロック部材９と一緒にすき刈り板３を前進させたときロック突起２１にロック爪１９の先端が係止するようになっている。このロック部材９とロック突起２１にてロック機構を構成してある。またロック部材９の本体板１５には左右に長いロック解除釦５を上方に突出させてあり、ロック解除釦５をすき刈り板３の挿通孔６に挿通してあり、挿通孔６からロック解除釦５を露出させてある。ロック部材９の側片部１６の後端部には外方に突出するようにクリック突起２２を設けてあり、取り付け凹所８の両側に設けた被クリック突部２３に対してクリック突起２２がクリック動作するようになっている。
【００１２】
　上記のように構成せるヘアーカッターは、すき刈り板３を後退させて刃部１だけを露出させた状態では刃部１で通常の切断ができ、すき刈り板３を前進させてすき刈り板３を刃部１に重ねた状態ではすき刈り板３で毛髪の導入が規制され、刃部１ですき刈りがされる。図３（ａ）はすき刈り板３を後退させた状態であり、この状態から操作突起４に指をかけてすき刈り板３を前進させると、図３（ｂ）のようにすき刈り板３が突出し、最終的に図３（ｃ）のように突出してすき刈り板３が刃部１に重なる。図３（ａ）の状態から図３（ｂ）のように前進させるとクリック突起２２が被クリック突部２３に載り、さらに図３（ｃ）の位置まで前進させるとクリック突起２２が被クリック突部２３を越え、クリック感にてすき刈り板３が所定位置まで前進したことが確認される。図３（ｃ）のようにすき刈り板３を所定位置まで前進させた状態でロック爪１９がロック突起２１に係止してすき刈り板３が後退しないようにロックされる。このようにすき刈り板３を前進させた状態でロックされていることにより、すき刈り途中に不用意にすき刈り板３が後退して毛髪を誤って切断し過ぎるおそれがない。またロック解除釦５を押してロック爪１９をロック突起２１から外し、操作突起４に指をかけてすき刈り板３を後退させると、ロックを解除してすき刈り板３を後退させることができる。図４はロックとロック解除を詳しく説明する図である。図４で矢印Ａはすき刈りから通常の切断に切り替えるためにすき刈り板３を後退する方向を示し、矢印Ｂは通常の切断からすき刈りに切り替えるためにすき刈り板３を前進させる方向を示す。今、すき刈りに切り替えるためにすき刈り板３を前進させると、図４（ｅ）（ｄ）（ｃ）の順に前進し、図４（ｃ）のようにロック爪１９がロック突起２１に載った状態から図４（ｂ）のようにロック爪１９がロック突起２１を乗り越え、図４（ａ）のようにロック爪１９がロック突起２１に係止してロックされる。すき刈りから通常の切断に切り替える場合には、図４（ａ）の状態から図４（ｂ）のようにロック解除釦５を押してロック爪１９とロック突起２１との係止を外し、図４（ｃ）（ｄ）（ｅ）のようにすき刈り板３を後退させる。すき刈り状態からすき刈り板３を後退させるとき、操作突起４よりロック解除釦５が前方にあるので、ロック解除釦５を指で押さえてロックを解除すると共に指を操作突起４にかけてすき刈り板５を後退させることができてロック解除してすき刈り板５を後退させる操作がしやすい。
【００１３】
　また図５は他の実施例を示すものである。すき刈り板３の挿通孔６にロック解除釦５を挿通してロック解除釦５を露出させてあるが、ロック解除釦５の周囲の挿通孔６の孔縁に沿って囲い突条７を全周に亙って突設してあり、囲い突条７の上端をロック解除釦５の上端とを略面一にしてある。このように囲い突条７を突設してあると、誤って不用意にロック解除釦５を押してしまってロックを解除してしまうことがない。つまり、囲い突条７があるために意識的にロック解除釦５を押す操作をしなければロックが解除されることがない。
【００１４】
　図６はさらに他の実施例を示し、ロック解除釦５の周囲の挿通孔６の孔縁に断面略Ｌ字状の段落ち８を全周に亙るように形成してあり、すき刈り板３の上面とロック解除釦５の上端とを略面一にしてある。この場合も段落ち８にてロック解除釦５が不用意に押されるのを防止できる。
【００１５】
　また図７、図８は他の実施例を示す。本実施例の場合、すき刈り板３に毛屑２４を通過させるための開口２５を幅方向に長くなるように設けてある。このようにしてあると、図８に示すように頭部２６の毛髪２７を切断するとき毛屑２４が矢印Ｃのようにすき刈り板３の開口２５を通過してスムーズに毛屑２４が排出され、毛屑２４が溜まる弊害を防止できる。
【図面の簡単な説明】
【００１６】
【図１】本発明の一実施例の要部の分解斜視図である。
【図２】同上の要部の組み立て状態の平面図である。
【図３】同上のすき刈り板のスライドを説明する一部切欠平面図である。
【図４】同上のすき刈り板のロック及びロック解除を説明する断面図である。
【図５】（ａ）は同上の他の実施例の平面図、（ｂ）は（ａ）の要部拡大斜視図である。
【図６】同上の他の実施例の要部拡大斜視図である。
【図７】同上の他の実施例の平面図である。
【図８】同上の使用状態を説明する説明図である。
【符号の説明】
【００１７】
　１　刃部
　２　ヘアーカッター本体
　３　すき刈り板
　４　操作突起
　５　ロック解除釦
　６　挿通孔
　７　囲い突条
　８　段落ち
【図１】
2004136123.tif 000003
【図２】
2004136123.tif 000004
【図３】
2004136123.tif 000005
【図４】
2004136123.tif 000006
【図５】
2004136123.tif 000007
【図６】
2004136123.tif 000008
【図７】
2004136123.tif 000009
【図８】
2004136123.tif 000010